(57)【要約】【課題】  一種類のファンおよびベルマウスを使用して簡便に吹き出し方向を変更することができる、送風装置およびそれを用いた冷凍ユニットを提供することを目的とする。【解決手段】  取り付け架台１４と、取り付け架台にモータブラケット１５を介して取り付けられるモータ１６と、モータ回転軸１６Ｂに着脱可能に取り付けられるプロペラファン１７と、プロペラファン１７に対して所定のファン突き出し量Ａ１，Ｂ１，Ａ２，Ｂ２を形成し、取り付け架台に対して着脱可能に取り付けられるベルマウス１８と、を備えた送風装置であって、プロペラファン１７およびベルマウス１８をモータ回転軸１６Ｂおよび取り付け架台１４に対して取り付けたときの第１ファン突き出し量Ａ１，Ｂ１と、プロペラファン１７およびベルマウス１８を反転させてモータ回転軸１６Ｂおよび取り付け架台１４に取り付けたときの第２ファン突き出し量Ａ２，Ｂ２とが略同一とされる。【選択図】      図５
2008019832.tif 000002
【特許請求の範囲】
【請求項１】
取り付け架台と、
モータ回転軸を有し、前記取り付け架台にモータブラケットを介して取り付けられる正逆回転可能なモータと、
複数枚の羽根を有し、前記モータ回転軸にファンボスを介して着脱可能に取り付けられるプロペラファンと、
前記プロペラファンに対して所定のファン突き出し量を形成し、前記取り付け架台に対して着脱可能に取り付けられるベルマウスと、を備えた送風装置であって、
前記プロペラファンおよび前記ベルマウスを前記モータ回転軸および前記取り付け架台に対して取り付けたときの第１ファン突き出し量と、前記プロペラファンおよび前記ベルマウスを反転させて前記モータ回転軸および前記取り付け架台に取り付けたときの第２ファン突き出し量とが略同一とされることを特徴とする送風装置。
【請求項２】
前記モータ回転軸に取り付けられる前記ファンボスの取り付け面の中心と、前記取り付け架台に取り付けられる前記ベルマウスの取り付け面の中心とが略同一平面上に設定されることを特徴とする請求項１に記載の送風装置。
【請求項３】
前記モータブラケットと前記ベルマウスとが前記取り付け架台上の同一取り付け面に互いに干渉を避けて取り付けられることを特徴とする請求項１または２に記載の送風装置。
【請求項４】
前記モータブラケットと前記ベルマウスとが前記取り付け架台上の異なる取り付け面に取り付けられることを特徴とする請求項１または２に記載の送風装置。
【請求項５】
請求項１ないし４のいずれかに記載の送風装置が用いられる冷凍ユニットであって、
前記送風装置が、エバポレータ用送風装置として冷凍ユニット本体の一端部に前記モータ回転軸が外方側に向けて設置され、前記プロペラファンおよび前記ベルマウスが各々反転されて前記モータ回転軸および取り付け架台に取り付けられることにより、冷凍庫内に対する冷風吹き出し方向が反転可能とされることを特徴とする冷凍ユニット。
【発明の詳細な説明】
【技術分野】
【０００１】
本発明は、コンテナ用の冷凍ユニット等に適用される送風装置およびそれを用いた冷凍ユニットに関するものである。
【背景技術】
【０００２】
海上輸送用の冷凍コンテナは、コンテナの一端面に冷凍ユニットが装備され、この冷凍ユニットにおいて生成された冷風が、冷凍ユニットから下向きに吹き出され、コンテナの底面に設けられているＴレールを介してコンテナの庫内長手方向全域に冷風が供給されるよう構成される。
このような、冷凍コンテナをトラック輸送用に使用する場合、冷凍ユニットの冷風吹き出し方向を上向き吹き出しにすることが求められる。
【０００３】
一般に、送風ファンによって吹き出し方向を、例えば上方向または下方向とに切り替える場合、ファンの傾きを変更した、下吹き出し用のファンおよび上吹き出し用のファンの二種類のファンを各々準備し、吹き出し方向の変更に合わせてファンを取り替える方法が採られている。この場合、ベルマウスが装備されている送風ファンでは、ベルマウスについても二種類準備しておき、同時に取り替える必要があった。
また、上記とは別の方法として、ファン、モータおよびベルマウスから構成されるファンユニットを反転させて取り付ける方式も提供されている（特許文献１参照）。
【０００４】
【特許文献１】特開平８−２３３３２３号公報
【発明の開示】
【発明が解決しようとする課題】
【０００５】
しかしながら、上記した前者の方法では、二種類のファンおよびベルマウスを生産しなければならないことから、生産効率が悪く、コスト高となるとともに、使用しない方のファンおよびベルマウスを保管管理しなければならない煩わしさがある。
また、後者の方法では、ファンユニットを反転させて取り付けることができるスペースの存在が前提であり、海上輸送用の冷凍コンテナのように、冷凍ユニットの上方スペースが制約されているものにあっては、ファンユニットを反転させ、モータが上方に配置されるように取り付けることは困難であった。
【０００６】
本発明は、このような事情に鑑みてなされたものであって、一種類のファンおよびベルマウスを使用して簡便に吹き出し方向を変更することができる、送風装置およびそれを用いた冷凍ユニットを提供することを目的とする。
【課題を解決するための手段】
【０００７】
上記課題を解決するために、本発明の送風装置およびそれを用いた冷凍ユニットは、以下の手段を採用する。
すなわち、本発明にかかる送風装置は、取り付け架台と、モータ回転軸を有し、前記取り付け架台にモータブラケットを介して取り付けられる正逆回転可能なモータと、複数枚の羽根を有し、前記モータ回転軸にファンボスを介して着脱可能に取り付けられるプロペラファンと、前記プロペラファンに対して所定のファン突き出し量を形成し、前記取り付け架台に対して着脱可能に取り付けられるベルマウスと、を備えた送風装置であって、前記プロペラファンおよび前記ベルマウスを前記モータ回転軸および前記取り付け架台に対して取り付けたときの第１ファン突き出し量と、前記プロペラファンおよび前記ベルマウスを反転させて前記モータ回転軸および前記取り付け架台に取り付けたときの第２ファン突き出し量とが略同一とされることを特徴とする。
【０００８】
本発明によれば、プロペラファンおよびベルマウスをモータ回転軸および取り付け架台に対して取り付けたときの第１ファン突き出し量と、プロペラファンおよびベルマウスを反転させてモータ回転軸および取り付け架台に取り付けたときの第２ファン突き出し量とが略同一とされるので、一種類のプロペラファンおよびベルマウスをモータ回転軸および取り付け架台に対して各々反転させて取り付けることにより、送風方向を反転させることができる。このため、取り付けスペース上の制約から、モータを含め送風装置を反転させて取り付けることが困難な場合でも、プロペラファンおよびベルマウスを共用して送風方向を反転させることが可能となる。従って、プロペラファンおよびベルマウスを共通化して生産性を向上させ、コスト低減を図ることができる。また、プロペラファンおよびベルマウスを二種類使用する場合における不使用品の保管管理等の煩わしさを解消することができる。
【０００９】
さらに、本発明の送風装置は、上記の送風装置において、前記モータ回転軸に取り付けられる前記ファンボスの取り付け面の中心と、前記取り付け架台に取り付けられる前記ベルマウスの取り付け面の中心とが略同一平面上に設定されることを特徴とする。
【００１０】
本発明によれば、モータ回転軸に取り付けられるファンボスの取り付け面の中心と、取り付け架台に取り付けられるベルマウスの取り付け面の中心とが略同一平面上に設定されるので、プロペラファンおよびベルマウスを各々反転させて取り付けたときも、プロペラファンとベルマウスとの間に形成されるファン突き出し量を各々略同一とすることができる。従って、送風方向を反転させた場合でも、確実に略同一のファン特性を得ることができる。
【００１１】
さらに、本発明の送風装置は、上述のいずれかの送風装置において、前記モータブラケットと前記ベルマウスとが前記取り付け架台上の同一取り付け面に互いに干渉を避けて取り付けられることを特徴とする。
【００１２】
本発明によれば、モータブラケットとベルマウスとが取り付け架台上の同一取り付け面に互いに干渉を避けて取り付けられるので、送風方向を反転させるために、ベルマウスを反転させる場合でも、モータブラケットに干渉されることなく、ベルマウスを簡便に反転させて取り付けることができる。
【００１３】
さらに、本発明の送風装置は、上述のいずれかの送風装置において、前記モータブラケットと前記ベルマウスとが前記取り付け架台上の異なる取り付け面に取り付けられることを特徴とする。
【００１４】
本発明によれば、モータブラケットとベルマウスとが取り付け架台上の異なる取り付け面に取り付けられるので、送風方向を反転させるために、ベルマウスを反転させる場合でも、モータブラケットに干渉されることなく、ベルマウスを簡便に反転させて取り付けることができる。
【００１５】
また、本発明にかかる冷凍ユニットは、上述のいずれかの送風装置が用いられる冷凍ユニットであって、前記送風装置が、エバポレータ用送風装置として冷凍ユニット本体の一端部に前記モータ回転軸が外方側に向けて設置され、前記プロペラファンおよび前記ベルマウスが各々反転されて前記モータ回転軸および取り付け架台に取り付けられることにより、冷凍庫内に対する冷風吹き出し方向が反転可能とされることを特徴とする。
【００１６】
本発明によれば、上述いずれかの送風装置がエバポレータ用送風装置としてユニット本体の一端部にモータ回転軸を外方側に向けて設置され、プロペラファンおよびベルマウスが各々反転されてモータ回転軸および取り付け架台に取り付けられることにより、冷凍庫内に対する冷風吹き出し方向が反転可能とされるので、冷凍ユニットの一端部と冷凍庫内壁面との間にスペースがない場合でも、プロペラファンおよびベルマウスを各々反転させて取り付けるだけで、冷風吹き出し方向を、例えば上吹き出しまたは下吹き出しのいずれかに反転させることができる。従って、一種類のプロペラファンおよびベルマウスを共用して冷風の吹き出し方向を簡便に切り替えることができる。
【発明の効果】
【００１７】
本発明の送風装置によれば、一種類のプロペラファンおよびベルマウスをモータ軸および取り付け架台に対して各々反転させて取り付けることにより、送風方向を反転させることができるため、取り付けスペースに制約があり、モータを含めて送風ユニットを反転させることが困難な場合においても、一種類のプロペラファンおよびベルマウスを共用して送風方向を反転させることが可能となる。従って、プロペラファンおよびベルマウスを共通化し、その生産性を向上させてコスト低減を図ることができる。また、使用しないプロペラファンおよびベルマウスを保管管理するという煩わしさから解放することができる。
また、本発明の冷凍ユニットによれば、上記の送風装置を用いることにより、一種類のプロペラファンおよびベルマウスを共用して吹き出し方向を簡便に変更することができるコンテナ用冷凍ユニットを提供することができる。
【発明を実施するための最良の形態】
【００１８】
以下に、本発明にかかる実施形態について、図面を参照して説明する。
［第１実施形態］
以下、本発明の第１実施形態について、図１ないし図６を用いて説明する。
まず、図１ないし図３を用いて、冷凍コンテナ１およびコンテナ用冷凍ユニット３の概略構成について説明する。
【００１９】
図１に示されるように、冷凍コンテナ１は、幅、高さおよび長さについて規格化された寸法の直方体形状を有する箱体２により構成される。この箱体２は、断熱構造であり、庫内側底面には、冷風を庫内の長手方向に導くための流路を形成するＴレール（図示省略）が敷設されている。箱体２には、一端面に開口部が形成されており、この開口部に冷凍ユニット３が着脱可能に装備される。そして、冷凍ユニット３により生成された冷風をコンテナ庫内に循環させることによって、コンテナ庫内が冷却されることとなる。なお、箱体２の一側面には、貨物出し入れ用の扉が設けられるが、それは図示省略されている。
【００２０】
図２には、冷凍ユニット３の構成が示されている。
冷凍ユニット３は、箱体２の開口部に着脱可能に装着される方形形状の断熱パネル本体４を有している。この断熱パネル本体４の略３分の２以下の下方部には、庫内側に凹んだ凹部空間５が形成される。また、断熱パネル本体４には、庫内に面して断熱パネル本体４との間で冷風循環流路６を形成するパネル７が取り付けられる。
そして、断熱パネル本体４の庫内側に面する上方部位には、上記冷風循環流路６内に冷凍機を構成するエバポレータユニット側の各機器が配設され、また、断熱パネル本体４の庫外側に面する上記凹部空間５内には、冷凍機を構成するコンディンシングユニットの各機器が配設される。
【００２１】
冷凍機を構成するエバポレータユニット側の主な機器は、エバポレータ８、図示省略された膨張弁およびエバポレータ用ファンユニット９等であり、また、コンディンシングユニットの主な機器は、コンプレッサ１０、コンデンサ１１、図示省略されたレシーバ、アキュームレータ１２およびコンデンサ用ファンユニット１３等である。そして、これらコンプレッサ１０、コンデンサ１１、レシーバ、膨張弁、エバポレータ８およびアキュームレータ１２がこの順に図示省略された冷媒配管により接続されることによって、冷凍サイクルが構成される。なお、上記冷凍ユニット３において、エバポレータ８の下部に配設されるドレンパンやドレンを外部に排出するドレンホース、エバポレータ８に付着された霜取り用機器、換気用機器、コントローラ機器、その他の本発明と直接関係しない部分ついては省略されているものとする。
【００２２】
上記冷凍ユニット３にあって、エバポレータ用ファンユニット９は、冷凍ユニット３の上方端部の冷風循環流路６中に取り付け架台１４を介して２台並設されている。冷凍ユニット３は、冷凍コンテナ１に装着された状態で、その上方端部から冷凍コンテナ１の庫内空気をエバポレータ用ファンユニット９により冷風循環流路６内に吸い込み、エバポレータ８を通過させて所定温度に冷却した後、冷凍ユニット３の下方端部から冷凍コンテナ１の庫内に吹き出す。このように、冷凍ユニット３は、冷却した空気を冷凍コンテナ１の庫内と冷凍ユニット３との間で循環させる機能を有する。
【００２３】
つぎに、図４ないし図６を用いて、上記したエバポレータ用ファンユニット９の詳細構成について説明する。
冷凍ユニット３の上方端部と冷凍コンテナ１の上面内壁との間には、空気吸い込み用のスペースが確保されている以外に余裕スペースはなく、通常、エバポレータ用ファンユニット９は、冷凍ユニット３の冷風循環流路６内に配設される。
図４ないし図６に示されるように、エバポレータ用ファンユニット９は、断熱パネル本体４の上方端部に組み付けられる取り付け架台１４と、この取り付け架台１４にモータブラケット１５を介して取り付けられる正逆回転可能なモータ１６と、モータ１６のモータ回転軸１６Ｂにファンボス１７Ａを介して着脱可能に取り付けられるプロペラファン１７と、プロペラファン１７に対して所定のファン突き出し量を形成するよう取り付け架台１４に着脱可能に取り付けられるベルマウス１８とから構成される。
【００２４】
取り付け架台１４は、フレーム状の枠体であり、各エバポレータ用ファンユニット９に対して、各々所定間隔を隔てて平行に配設された架台１４Ａ，１４Ｂを有している。
モータブラケット１５は、下向きにコ字状に折り曲げられた形状を有し、架台１４Ａ，１４Ｂ間に２本平行に架設される。この２本のブラケット１５間にモータ１６が固定設置される。
モータ１６は、モータ本体部分１６Ａが下方に配置され、モータ回転軸１６Ｂが上方に突出された姿勢で取り付けられる。このモータ回転軸１６Ｂの上方部には、径が一段細くされ、外周面に回り止め用のＤ面カットが施されたファン取り付け用のネジ軸１６Ｃが設けられる。
【００２５】
プロペラファン１７は、円筒形状のファンボス１７Ａと、このファンボス１７Ａの回りに設けられる複数枚の羽根１７Ｂとから構成される。このファンボス１７Ａと複数枚の羽根１７Ｂは樹脂製であり、射出成形により一体成形されるものである。また、ファンボス１７Ａには、モータ回転軸１６Ｂのネジ軸１６Ｃに挿入可能な孔を有する金属製取り付けプレート１７Ｃが一体にインサート成形されている。このように構成されるプロペラファン１７は、モータ回転軸１６Ｂのネジ軸１６Ｃに対し反転させて取り付けられるよう図示省略のネジにより着脱可能とされている。
【００２６】
ベルマウス１８は、プロペラファン１７に対するラッパ状の滑らかな空気流入流路を形成する開口部１８Ａを有するものであり、この開口部１８Ａがプロペラファン１７の外周と所定隙間を保つように取り付けられる。また、ベルマウス１８は、中央部に上記開口部１８Ａが形成された長方形状の平板構造であり、その長手方向の両端が架台１４Ａ，１４Ｂに対してネジ１９等により着脱可能に設置される。
このベルマウス１８は、送風方向を反転させるため、プロペラファン１７と同様に反転可能な構成とされている。
【００２７】
図５は、エバポレータ用ファンユニット９が下吹き出しの状態を示し、プロペラファン１７は、その羽根１７Ｂが下吹き出し方向に傾斜された状態でモータ回転軸１６Ｂに取り付けられている。これに合わせてベルマウス１８は、開口部１８Ａが下方に向う滑らかな絞り空気流入流路を形成するよう取り付け架台１４に取り付けられる。
一方、図６は、エバポレータ用ファンユニット９が上吹き出しの状態を示し、プロペラファン１７およびベルマウス１８は、それぞれ反転されてモータ回転軸１６Ｂおよび取り付け架台１４に取り付けられる。つまり、プロペラファン１７は、その羽根１７Ｂが上吹き出し方向に傾斜された状態でモータ回転軸１６Ｂに取り付けられ、また、ベルマウス１８は、開口部１８Ａが上方に向う滑らかな絞り空気流入流路を形成するように取り付け架台１４に取り付けられる。
【００２８】
ここで、図５の下吹き出し状態および図６の上吹き出し状態とされたとき、各々同一のファン性能が確保されることが重要である。そのため、本実施形態においては、図５に示す下吹き出し状態のときに、プロペラファン１７とベルマウス１８間に形成される第１ファン突き出し量Ａ１，Ｂ１と、図６に示す上吹き出し状態のときに、プロペラファン１７とベルマウス１８間に形成される第２ファン突き出し量Ａ２，Ｂ２とが略同一となる構成とされている。この構成は、モータ回転軸１６Ｂに取り付けられるファンボス１７Ａの取り付けプレート１７Ｃの板厚中心と、取り付け架台１４に取り付けられるベルマウス１８の取り付け面の板厚中心とを略同一平面上に設定することにより実現されるが、もちろんこれに限定されるものではなく、スペーサを設けてファン突き出し量を上記のように設定することも可能である。
【００２９】
また、本実施形態においては、モータブラケット１５とベルマウス１８とが同じ取り付け架台１４の同一取り付け面上に取り付けられている。そこで、互いに干渉を避けて取り付け架台１４に取り付けができるよう、モータブラケット１５の取り付け架台１４への取り付け位置に対応するベルマウス１８の対応部分を上方へ膨らませた形状としている。このような形状とすることにより、モータブラケット１５およびベルマウス１８を互いに干渉を避けて取り付け架台１４の同一取り付け面上に取り付けることができるとともに、空気流のバイパスをも防止することができる。なお、ベルマウス１８を反転して取り付けることが可能なように、上記の膨らみ部は柔軟な材料により構成することができる。
【００３０】
以上の構成により、本実施形態によれば、以下の作用効果を奏する。
上記冷凍コンテナ１において、冷凍ユニット３で生成された冷風を下吹き出し状態で使用する場合、エバポレータ用ファンユニット９を、図５に示すように、プロペラファン１７の羽根１７Ｂが下吹き出し方向に傾斜された状態となるようモータ回転軸１６Ｂに取り付け、これに合わせてベルマウス１８を、開口部１８Ａにより下方に向う滑らかな絞り空気流入流路が形成されるように取り付け架台１４に取り付ける。こうして冷凍ユニット３を運転すると、コンテナ１内の空気は、図２、図３に実線矢印で示されるように、エバポレータ用ファンユニット９により冷凍ユニット３の上方端部から冷風循環流路６内に吸い込まれ、エバポレータ８を通過することにより冷却された後、冷凍ユニット３の下方端部からコンテナ１内へと吹き出され、コンテナ１内の貨物を冷却することとなる。
【００３１】
一方、冷凍コンテナ１を、冷凍ユニット３で生成された冷風を上吹き出し状態で使用することが求められた場合、図６に示すように、エバポレータ用ファンユニット９のプロペラファン１７およびベルマウス１８を一旦取り外し、それらを各々反転させて、プロペラファン１７をその羽根１７Ｂが下吹き出し方向に傾斜されるようモータ回転軸１６Ｂに取り付け、また、ベルマウス１８をその開口部１８Ａが上方に向う滑らかな絞り空気流入流路を形成するように取り付け架台１４に取り付ける。その上でモータ１６の回転方向を切り替えると、エバポレータ用ファンユニット９は上吹き出し状態となる。こうして冷凍ユニット３を運転すると、上記とは逆にコンテナ１内の空気は、図２、図３に破線矢印で示されるように、冷凍ユニット３の下方端部から冷風循環流路６内に吸い込まれ、エバポレータ８を通過して冷却された後、冷凍ユニット３の上方端部からコンテナ１内へと吹き出され、コンテナ１内の貨物を冷却することとなる。
【００３２】
従って、本実施形態によると、一種類のプロペラファン１７およびベルマウス１８をモータ回転軸１６Ｂおよび取り付け架台１４に対して各々反転させて取り付けることによって、吹き出し方向（送風方向）を反転させることができる。
このため、吹き出し方向を反転させて使用する冷凍ユニット３において、プロペラファン１７およびベルマウス１８を共通化でき、各々一種類の生産により対応可能となる。従って、別個に二種類生産する場合に比べ、生産性を略２倍に向上させてコスト低減を図ることができる。
また、プロペラファン１７およびベルマウス１８を各々二種類使用する場合における不使用品の保管管理等の煩わしさを解消することができる。
【００３３】
［第２実施形態］
次に、本発明の第２実施形態について、図７を用いて説明する。
本実施形態は、上記した第１実施形態に対して、モータブラケット１５およびベルマウス１８の取り付け架台１４への取り付け構造が異なっている。その他の点については、第１実施形態と同様であるので、説明は省略する。
本実施形態において、モータブラケット１５およびベルマウス１８は、各々取り付け架台１４の異なる取り付け面１４Ｃ，１４Ｄに取り付けられる。
【００３４】
取り付け架台１４の架台１４Ａ，１４Ｂには、２本のモータブラケット１５の取り付け位置に対応して凹み面を形成することにより、ベルマウス１８の取り付け面１４Ｃより一段下げた取り付け面１４Ｄが形成される。この取り付け面１４Ｄにモータブラケット１５がネジ止め等により固定設置される。このような構成とすることにより、取り付け架台１４に対してモータブラケット１５およびベルマウス１８を、異なる取り付け面１４Ｃ，１４Ｄに互いに干渉を避けて取り付けることができる。
従って、ベルマウス１８を反転させて取り付ける場合において、ベルマウス１８を簡便に着脱することができる。なお、上記凹み部から空気流がバイパスするおそれがある場合には、凹み部に遮風材を充填すればよい。
【００３５】
なお、上記の実施形態において、プロペラファン１７とモータ１６との間の相対位置関係がプロペラファン１７を反転させた場合に変わるようになっているが、この相対位置関係を、プロペラファン１７を反転させた場合にも変わらないようにするには、プロペラファン１７の取り付けプレート１７Ｃをファンボス１７Ａの高さ方向の中間位置に配置すればよい。
また、上記のファンユニット９は、冷凍ユニット３のエバポレータ用ファンユニットに限らず、送風方向を反転させる必要がある場合の送風装置として、他の用途にも広く適用することが可能である。
【図面の簡単な説明】
【００３６】
【図１】本発明の第１実施形態にかかる冷凍ユニットを装備した冷凍コンテナの斜視図である。
【図２】本発明の第１実施形態にかかる冷凍ユニットの側面図である。
【図３】図２に示された冷凍ユニットの右側面図である。
【図４】図２に示された冷凍ユニットのエバポレータ用ファンユニットの平面図である。
【図５】図４に示されたエバポレータ用ファンユニットの下吹き出し状態の側面図である。
【図６】図４に示されたエバポレータ用ファンユニットの上吹き出し状態の側面図である。
【図７】本発明の第２実施形態にかかる取り付け架台の部分斜視図である。
【符号の説明】
【００３７】
１  冷凍コンテナ
３  冷凍ユニット
９  エバポレータ用ファンユニット
１４  取り付け架台
１４Ｃ，１４Ｄ  取り付け面
１５  モータブラケット
１６  モータ
１６Ａ  モータ回転軸
１７  プロペラファン
１７Ａ  ファンボス
１７Ｂ  羽根
１７Ｃ  取り付けプレート
１８  ベルマウス
Ａ１，Ａ２，Ｂ１，Ｂ２  ファン突き出し量
【図１】
2008019832.tif 000003
【図２】
2008019832.tif 000004
【図３】
2008019832.tif 000005
【図４】
2008019832.tif 000006
【図５】
2008019832.tif 000007
【図６】
2008019832.tif 000008
【図７】
2008019832.tif 000009